(57)【要約】【課題】住宅建物における屋根瓦の固定構造をわかり易く説明することができる屋根瓦の固定強度体験装置を提供する。【解決手段】０〜６０ｍ／秒の風速を発生するファン２の空気吹き出し口２１に、吹き出し口２１を開閉可能な蓋体２０が設けられ、吹き出し口２１と対向する位置には手摺り３が設けられ、手摺り３の吹き出し口下流側に人の立ち位置Ａが設けられ、立ち位置Ａのさらに下流側の試験位置Ｂには、屋根瓦４０を設けた試験体４が設けられ、試験体４上方には、ガード５が設けられ、ガード５は、この上方の位置から人の立ち位置Ａの背後に昇降可能に構成され、装置本体１１が設けられた試験室１０から透明のガラス窓１２によって隔てられた見学室１３には、装置本体１１を操作する操作スイッチ１４が設けられた屋根瓦４０の固定強度体験装置１である。【選択図】  図１
2008102321.tif 000002
【特許請求の範囲】
【請求項１】
少なくとも０〜６０ｍ／秒の風速を発生し、その風速を表示するようになされたファンの空気吹き出し口に、この吹き出し口を開閉可能な蓋体が設けられ、この吹き出し口と対向する位置には手摺りが設けられ、この手摺りの吹き出し口下流側に人の立ち位置が設けられるとともに、この立ち位置のさらに下流側の試験位置には、実物の屋根の一部に屋根瓦を設けた屋根瓦の試験体が設けられてなり、この試験体上方には、ガードが設けられ、このガードは、人の立ち位置に立った人が後方へ吹き飛ばされることを防止するために、この上方の位置から人の立ち位置の背後に昇降可能に構成されてなり、この装置本体が設けられた試験室から透明の隔壁によって隔てられた見学室には、この装置本体を操作する操作スイッチが設けられてなることを特徴とする屋根瓦の固定強度体験装置。
【請求項２】
装置本体が設けられた試験室には、人の有無を検知してファンの作動を停止するセンサが設けられた請求項１記載の屋根瓦の固定強度体験装置。
【発明の詳細な説明】
【技術分野】
【０００１】
本発明は、住宅建物における屋根瓦が台風を受けた場合にどのようになるかを体験する装置に関するものである。
【背景技術】
【０００２】
従来より、住宅建物においては、台風などの暴風に対しても屋根瓦が吹き飛ばされないように、屋根瓦の止め方についてある程度の基準が定められている。
【０００３】
しかし、吹き飛ばされないように工夫された屋根瓦であっても、住宅建物の外観上は、何処をとっても略同じであるため、その性能の差異を実感することはできない。
【０００４】
そこで、従来より、このような屋根瓦の固定構造は、住宅建物のカタログに紹介したり、展示住宅に訪れた購入予定者に、口頭で説明したりしていた。そして、この説明によって、従来の屋根瓦の固定構造に対して、屋根瓦の固定構造に優れた住宅建物とはどのようなものであるのかを理解してもらっていた。
【発明の開示】
【発明が解決しようとする課題】
【０００５】
しかし、屋根瓦の固定構造に関して専門知識の無い者がカタログのみで説明することは難しく、展示住宅に訪れた購入予定者に対しても充分に説明することができない。
【０００６】
また、住宅購入予定者も屋根瓦の固定構造に関して専門知識の無い場合がほとんどであるため、専門知識のある者から説明を受けても充分に理解することができない。
【０００７】
特に、屋根瓦は、安定した風速よりも風速の急激な変化による突風によって吹き飛ばされ易いとされるが、どのような理由で吹き飛ばされ易いのかを説明したり、理解したりすることが難しい。
【０００８】
本発明は、係る実情に鑑みてなされたものであって、住宅建物における屋根瓦の固定構造をわかり易く説明することができ、その固定強度がどの程度のものであるかを体験することができる屋根瓦の固定強度体験装置を提供することを目的としている。
【課題を解決するための手段】
【０００９】
上記課題を解決するための本発明の屋根瓦の固定強度体験装置は、少なくとも０〜６０ｍ／秒の風速を発生し、その風速を表示するようになされたファンの空気吹き出し口に、この吹き出し口を開閉可能な蓋体が設けられ、この吹き出し口と対向する位置には手摺りが設けられ、この手摺りの吹き出し口下流側に人の立ち位置が設けられるとともに、この立ち位置のさらに下流側の試験位置には、実物の屋根の一部に屋根瓦を設けた屋根瓦の試験体が設けられてなり、この試験体上方には、ガードが設けられ、このガードは、人の立ち位置に立った人が後方へ吹き飛ばされることを防止するために、この上方の位置から人の立ち位置の背後に昇降可能に構成されてなり、この装置本体が設けられた試験室から透明の隔壁によって隔てられた見学室には、この装置本体を操作する操作スイッチが設けられてなるものである。
【００１０】
また、上記屋根瓦の固定強度体験装置において、装置が設けられた試験室には、人の有無を検知してファンの作動を停止するセンサが設けられたものである。
【発明の効果】
【００１１】
以上述べたように、本発明によれば、住宅建物における屋根瓦の固定強度の重要性を、わかり易く説明することができる。また、見学者は容易に理解することができる。
【発明を実施するための最良の形態】
【００１２】
以下、本発明の実施の形態を図面を参照して説明する。
【００１３】
図１および図２は、屋根瓦４０の固定強度体験装置１の全体構成の概略を示している。
【００１４】
すなわち、この固定強度体験装置１は、ファン２の吹き出し口２１に蓋体２０が設けられ、吹き出し口２１と対向する位置には手摺り３が設けられ、この手摺り３の吹き出し口下流側に人Ｈの立ち位置Ａが設けられ、この立ち位置Ａのさらに下流側の試験位置Ｂには、試験体４が設けられ、この試験体４上方には、この上方から人の立ち位置Ａの背後に昇降可能に構成されたガード５が設けられ、この装置本体１１が設けられた試験室１０から透明のガラス窓１２によって隔てられた見学室１３には、この装置本体１１を操作する操作スイッチ１４が設けられてなるものである。
【００１５】
ファン２は、コンプレッサー (図示省略) で圧縮した空気を約５０ｃｍ四方の吹き出し口２１から吹き出すことができるように構成されている。この吹き出し口２１から吹き出される空気は、本実施の形態では、風速３０ｍ／秒と風速６０ｍ／秒の２段階に設定されており、これらの風速に切り替え可能となされている。また、このファン２による風速は、見学室１３にいる見学者に表示することができるようになされている。
【００１６】
また、吹き出し口２１には、この吹き出し口２１を開いたり閉じたりすることができる蓋体２０が設けられている。この蓋体２０は、吹き出し口２１の上方に回動可能に連結されており、吹き出し口２１の横に設けられた油圧シリンダ２２によって吹き出し口２１を開いたり閉じたりすることができるようになされている。これによって吹き出し口２１から吹き出される風は、安定した風速の風ではなく、風速が大きく変化して脈動することとなり、台風で突風が吹いたときを再現できるようになされている。
【００１７】
なお、蓋体２０は、上記したように吹き出し口２１からの風を脈動させて台風で突風が吹いたときを再現することができれば良いので、吹き出し口２１を完全に開いたり閉じたりすることができるように構成されている必要は無く、吹き出し口２１からの風を遮断する程度の遮蔽板２０ａによって吹き出し口２１からの風を遮るように構成されている。
【００１８】
手摺り３は、この吹き出し口２１から吹き出される風の下流側に約１．５ｍ程隔てた立ち位置Ａに、吹き出し口２１に向いて人Ｈが立った状態で、前に手を出してつかむことができる位置に設けられている。本実施の形態では、手摺り３は、水平方向に沿って設けられており、立ち位置Ａに立った人Ｈが吹き出し口２１に近寄ることを防止する柵を兼用するようになされている。
【００１９】
試験体４は、立ち位置Ａからさらに下流側に約１．５ｍ程隔てた試験位置Ｂに設けるようになされている。この試験体４は、長さ約２．５ｍ、巾約１．５ｍ、高さ約１．５ｍの大きさに形成されており、上面は、住宅建物の屋根の一部分を模した傾斜面４１を有するように形成されている。この傾斜面４１は、吹き出し口２１からの風が当たる側の傾斜面４１が略全体を占める片流れに近い屋根形状となされており、この大きい側の傾斜面４１には、通常の屋根と同様に屋根瓦４０を施工するようになされている。
【００２０】
この屋根は、図３（ａ）に示すように、国が定める基準では、軒から二段目までをビスで固定した屋根瓦４０ａとし、それ以降は通常に葺き並べた屋根瓦４０ｂとすることが義務付けられている。また、住宅金融公庫の基準では、図３（ｂ）に示すように、屋根は、軒から二段目までをビスで固定した屋根瓦４０ａとするとともに、それ以降は通常に葺き並べた屋根瓦４０ｂとし、さらに４段目毎にビスで固定した屋根瓦４０ａとすることが義務付けられている。さらに、強固な固定構造としては、図３（ｃ）および図４に示すように、屋根の全てをビスで固定した屋根瓦４０ａするとともに、各屋根瓦４０ａの軒先側をクリップ４０ｃで固定する構造が採用されている。
【００２１】
本実施の形態の試験体４では、図３（ｂ）に示す住宅金融公庫の基準に沿って屋根を施工したものを用意する。この試験体４は、底面に設けられた滑車４２によって上記した位置Ｂから容易に運び出すことがてきるようになされている。
【００２２】
ガード５は、水平方向に適宜の間隔を存して設けられた複数本の棒材５１の両端をリンク結合して構成されている。このガード５は、試験位置Ｂの両側に設けられた側面視略Ｌ字状の一対のレール５２に沿って滑動可能に構成されており、試験位置Ｂと立ち位置Ａとの間、または試験位置Ｂの試験体４の上方の位置に移動することができるようになされている。
【００２３】
このようにして構成された装置本体１１が設けられた試験室１０は、ファン２の吹き出し口２１から吹き出される風の流れ方向に沿って側面から見学できるように、装置本体１１の一方の側面に設けられたガラス窓１２を介して、隣接する見学室１３と離隔されている。
【００２４】
また、装置本体１１が設けられた試験室１０と見学室１３との間には、両者間を行き来するためのドア１５が設けられている。
【００２５】
さらに、見学室１３には、スイッチ１４が設けられており、このスイッチ１４を操作することで、ファン２とガード５とを操作するようになされている。スイッチ１４に隣接した位置には、試験室１０内の人Ｈに指示を出すためのマイク１６が設けられている。人Ｈの立ち位置Ａには、センサ６が設けられており、この立ち位置Ａに人Ｈの存在を確認した場合に、風速３０ｍ／秒でファン２の吹き出し口２１から送風できるようになされている。また、試験位置Ｂの片側にもセンサ６が設けられており、この試験位置Ｂに人Ｈの存在を確認した場合には、ファン２の吹き出し口２１からの送風ができないようになされ、安全が考慮されている。
【００２６】
なお、スイッチ１４は、少なくともファン２を操作するようになされたものであってもよい。この場合、ガード５については、試験室１０に人Ｈを招きいれた際に係員が試験室１０内で操作して昇降させることができる。
【００２７】
次に、このようにして構成される屋根瓦の固定強度体験装置１によって、住宅購入予定の見学者に解説を行う方法について説明する。
【００２８】
まず、案内員は、見学室１３に見学者を案内し、見学者の中から試験室１０で体験する人Ｈを選び出す。選ばれた人Ｈには、ドア１５から試験室１０内へと入ってもらい、立ち位置Ａに立って手摺り３をつかんでもらう。ガード５を降下させて立ち位置Ａの後方の安全を確保した状態で、見学室１３のスイッチ１４を操作し、風速３０ｍ／秒の風を体験者に体験してもらう。体験者が無事に安全であることを確認した後、風速３０ｍ／秒の風を体験者に当てながら蓋体２０を作動させる。吹き出し口２１から吹き出される風は、安定した風速の風ではなく、風速が大きく変化して脈動することとなり、台風で突風が吹いたときを再現できるので、通常の風速３０ｍ／秒の風と、脈動する風速３０ｍ／秒の風との違いを体感してもらう。
【００２９】
これにより、風速３０ｍ／秒を体験した人Ｈは、風速３０ｍ／秒の風がいかに凄いものであるかを実感することができ、しかも、脈動する風速３０ｍ／秒の風がさらに凄いものであることを実感することができる。また、この様子を見学室１３から見学した人は、風速３０ｍ／秒を体験している人Ｈの様子を見ながら、その風の凄さを実感することができることとなる。案内員は、風速３０ｍ／秒を体験する人Ｈの様子を見学者に見学してもらうだけで、台風時の風の強さがいかに凄いものであるかを、煩わしい説明をすること無く簡単に伝えることができる。
【００３０】
次に、案内員は、一度ファン２の送風を停止した後、部屋１０から体験した人Ｈに退場してもらう。ガード５を上昇させた後、次は風速を６０ｍ／秒まで上昇させて風速６０ｍ／秒の風を試験体４に当てる。約３０秒ほど当てた後、蓋体２０を作動させ、吹き出し口２１から吹き出される風を脈動させて、台風で突風が吹いたときを再現する。この際、試験体４は、図３（ｂ）に示す住宅金融公庫基準で屋根瓦４０を固定したものであるため、ビスで固定した屋根瓦４０ａは、吹き飛ぶことは無いが、通常に葺き並べた屋根瓦４０ｂは、飛んでしまうこととなる。この様子を見学室１３から見学者に見てもらう。
【００３１】
これにより、見学者は、基準に沿って通常に建築された住宅建物であっても、台風時になれば屋根瓦４０が飛ぶ危険性があることを、容易に理解することができる。
【００３２】
また、案内員は、見学者に見学してもらうだけで、余分な説明をすることなく、固定した屋根瓦４０ａの重要性を理解してもらうことができる。したがって、この見学の後に図３（ａ）ないし（ｃ）に示すような各種の屋根瓦４０の施工構造を見学者に説明する場合、見学者の興味を引き付けて容易に理解してもらうことができ、しかも、図３（ｃ）に示すように、全ての屋根瓦４０ａをビスで固定するとともに、各屋根瓦４０ａの軒先側をクリップ４０ｃで固定した構造の屋根が非常に安全であることを理解してもらうことができる。
【００３３】
なお、本実施の形態において、試験体４は、図３（ｂ）に示す住宅金融公庫基準で屋根瓦４０を固定したものとしているが、図３（ａ）や図３（ｃ）に準じた試験体４を用意し、それぞれを試験する様子を見学してもらうものであってもよい。
【００３４】
また、風速についても人Ｈに体験してもらう際の風速を３０ｍ／秒に設定し、試験体４で試験する際の風速を６０ｍ／秒としているが、これらの風速の設定については、適宜変更するものであってもよい。また、風を当てる時間についても、試験体４の種類や、必要に応じて適宜変更するものであってもよい。
【産業上の利用可能性】
【００３５】
住宅建物の販売促進を図る装置として利用できる。
【図面の簡単な説明】
【００３６】
【図１】本発明に係る屋根瓦の固定強度体験装置の全体構成の概略を示す側断面図である。
【図２】本発明に係る屋根瓦の固定強度体験装置の全体構成の概略を示す水平断面図である。
【図３】（ａ）ないし（ｃ）は各種屋根瓦の固定構造を示す模式図である。
【図４】図３（ｃ）に示す屋根瓦の固定構造の要部を示す部分斜視図である。
【符号の説明】
【００３７】
１  屋根瓦の固定強度体験装置
１０  試験室
１１  装置本体
１２  ガラス窓
１３  見学室
１４  スイッチ
２  ファン
２０  蓋体
２１  空気吹き出し口
３  手摺り
４  試験体
４０  屋根瓦
５  ガード
６  センサ
Ａ  立ち位置
Ｂ  試験位置
Ｈ  人
【図１】
2008102321.tif 000003
【図２】
2008102321.tif 000004
【図３】
2008102321.tif 000005
【図４】
2008102321.tif 000006